(57)【要約】  監視装置（１０）は、データ取得部（１１）と表示制御部（１２）とを備える。データ取得部（１１）は、太陽光発電設備（３０）の動作に関するデータを取得する。表示制御部（１２）は、太陽光発電設備（３０）の動作状態を所定の表示様式で表す表示情報を前記データから生成し、前記表示情報を出力する。上記データは、太陽光発電設備（３０）を構成する複数の構成要素それぞれに対して設定されている複数の計測点である第１計測点、第２計測点および第３計測点での計測データを含む。上記表示様式は、太陽光発電設備（３０）における構成要素に一対一に対応するエレメントを構成要素の位置に関連付けて配置した図形を含んでいる。表示制御部（１２）は、計測データを基に構成要素それぞれの動作状態が正常か否かを判断した結果である監視データを、エレメントの表示状態に反映させる。
2016113823.tif 000002
【特許請求の範囲】
【請求項１】
太陽光発電設備の動作に関するデータを取得するデータ取得部と、
前記太陽光発電設備の動作状態を所定の表示様式で表す表示情報を前記データから生成し、前記表示情報を出力する表示制御部とを備え、
前記データは、前記太陽光発電設備を構成する複数の構成要素それぞれに対して設定されている複数の計測点での計測データを含み、
前記表示様式は、前記太陽光発電設備における前記構成要素に一対一に対応するエレメントを前記構成要素の位置に関連付けて配置した図形を含んでおり、
前記表示制御部は、
前記計測データを基に前記構成要素それぞれの動作状態が正常か否かを判断した結果である監視データを、前記エレメントの表示状態に反映させる
太陽光発電設備の監視装置。
【請求項２】
前記太陽光発電設備は、前記構成要素として、
太陽電池モジュールで構成された複数のストリングと、
前記ストリングの出力を所定数ずつのグループにまとめる複数の接続装置と、
前記接続装置からの出力を交流に変換する電力変換装置とを備え、
前記計測点は、
前記ストリングの出力を計測する第１計測点と、前記電力変換装置の出力を計測する第２計測点とを含む
請求項１記載の太陽光発電設備の監視装置。
【請求項３】
前記太陽光発電設備は電力系統と接続され、
前記計測点は、前記電力変換装置と前記電力系統との連系点に設定された第３計測点をさらに備える
請求項２記載の太陽光発電設備の監視装置。
【請求項４】
前記図形は、前記エレメントとして、
前記ストリングに一対一に対応する複数の第１のエレメントと、
前記電力変換装置に対応する第２のエレメントと、
前記連系点に対応する第３のエレメントとを備え、
前記グループを構成する前記ストリングに対応する前記第１のエレメントは列を形成し、
前記ストリングが接続された前記電力変換装置に対応する前記第２のエレメントは前記第１のエレメントの列の一端側に配置され、
前記第３のエレメントは前記第２のエレメントを挟んで前記第１のエレメントの反対側に配置されている
請求項３記載の太陽光発電設備の監視装置。
【請求項５】
前記図形は、
前記第１のエレメントと前記第２のエレメントと前記第３のエレメントとが、それぞれ仮想的に設定されたリング上に配置され、
前記第３のエレメントが配置されたリングを前記第２のエレメントが配置されたリングが囲み、かつ、前記第２のエレメントが配置されたリングを前記第１のエレメントが配置されたリングが囲む
請求項４記載の太陽光発電設備の監視装置。
【請求項６】
前記表示様式は、
前記太陽光発電設備を表すシンボルを、前記太陽光発電設備が配置されている場所に対応させて地図上に配置するように定められ、
前記表示制御部は、
前記計測データを基に前記太陽光発電設備の動作状態が正常か否かを判断した結果を前記シンボルの表示状態に反映させる
請求項１〜５のいずれか１項に記載の太陽光発電設備の監視装置。
【請求項７】
前記表示様式は、
前記太陽光発電設備の発電電力量に影響する気象情報を前記地図上に重ねて配置するように定められている
請求項６記載の太陽光発電設備の監視装置。
【請求項８】
請求項１〜７のいずれか１項に記載の太陽光発電設備の監視装置と、
前記太陽光発電設備の監視装置が出力した表示情報を表示する表示装置とを備える
太陽光発電設備の監視システム。
【請求項９】
太陽光発電設備を構成する複数の構成要素それぞれに対して設定されている複数の計測点での計測データを含む前記太陽光発電設備の動作に関するデータを取得するステップと、
前記太陽光発電設備の動作状態を、前記太陽光発電設備における前記構成要素に一対一に対応するエレメントを前記構成要素の位置に関連付けて配置した図形を含む所定の表示様式で表す表示情報を前記データから生成するステップと、
前記表示情報を出力するステップと、
前記計測データを基に前記構成要素それぞれの動作状態が正常か否かを判断した結果である監視データを、前記エレメントの表示状態に反映させるステップとを有する
太陽光発電設備の監視方法。
【発明の詳細な説明】
【技術分野】
【０００１】
本発明は、太陽光発電設備の動作状態を監視する太陽光発電設備の監視装置、太陽光発電設備の監視システム、および、太陽光発電設備の監視方法に関する。
【背景技術】
【０００２】
従来、太陽光発電設備の動作状態を監視し、太陽電池ストリングの劣化、および、発電不良を検出する技術が提案されている（たとえば、特許文献１参照）。特許文献１には、小型太陽電池パネルの出力により日射量を予測し、予測した日射量に基づいて、太陽電池ストリングの予測発電量を求め、太陽電池ストリングの発電量を予測発電量と比較する技術が記載されている。性能が劣化している太陽電池ストリングは、比較結果により検出される。
【先行技術文献】
【特許文献】
【０００３】
【特許文献１】特開２０１３−８４７５９号公報
【発明の概要】
【発明が解決しようとする課題】
【０００４】
特許文献１には、太陽電池ストリングの異常を検出すると表示器に表示すること、および、太陽電池ストリングの発電量を表示器にグラフで表示することが記載されている。【０００５】
しかしながら、特許文献１に記載された技術は、太陽光発電設備の構成要素のうちの太陽電池ストリングの劣化を検出するものであるが、太陽光発電設備の他の構成要素の異常については考慮されていない。そのため、太陽光発電設備の構成要素のうちのどの箇所に異常が生じているかがわからず、対処に時間を要するという問題がある。【０００６】
本発明は、太陽光発電設備に異常が生じた場合に異常箇所を特定でき、結果的に、異常への迅速な対応を可能にする太陽光発電設備の監視装置、太陽光発電設備の監視システム、および、太陽光発電設備の監視方法を提供することを目的とする。
【課題を解決するための手段】
【０００７】
本発明に係る太陽光発電設備の監視装置は、太陽光発電設備の動作に関するデータを取得するデータ取得部と、前記太陽光発電設備の動作状態を所定の表示様式で表す表示情報を前記データから生成し、前記表示情報を出力する表示制御部とを備え、前記データは、前記太陽光発電設備を構成する複数の構成要素それぞれに対して設定されている複数の計測点での計測データを含み、前記表示様式は、前記太陽光発電設備における前記構成要素に一対一に対応するエレメントを前記構成要素の位置に関連付けて配置した図形を含んでおり、前記表示制御部は、前記計測データを基に前記構成要素それぞれの動作状態が正常か否かを判断した結果である監視データを、前記エレメントの表示状態に反映させる。【０００８】
本発明に係る太陽光発電設備の監視システムは、前記太陽光発電設備の監視装置と、前記太陽光発電設備の監視装置が出力した表示情報を表示する表示装置とを備える。【０００９】
本発明に係る太陽光発電設備の監視方法は、太陽光発電設備を構成する複数の構成要素それぞれに対して設定されている複数の計測点での計測データを含む前記太陽光発電設備の動作に関するデータを取得するステップと、前記太陽光発電設備の動作状態を、前記太陽光発電設備における前記構成要素に一対一に対応するエレメントを前記構成要素の位置に関連付けて配置した図形を含む所定の表示様式で表す表示情報を前記データから生成するステップと、前記表示情報を出力するステップと、前記計測データを基に前記構成要素それぞれの動作状態が正常か否かを判断した結果である監視データを、前記エレメントの表示状態に反映させるステップとを有する。
【発明の効果】
【００１０】
本発明の構成によれば、太陽光発電設備に異常が生じた場合に異常箇所を特定でき、結果的に、異常への迅速な対応が可能となる。
【図面の簡単な説明】
【００１１】
【図１】図１は、実施の形態を示すブロック図である。
【図２】図２は、実施の形態に用いる太陽光発電設備の例を示す構成図である。
【図３】図３は、実施の形態に用いる表示様式の一例を示す図である。
【図４】図４は、実施の形態に用いる表示様式の他例を示す図である。
【図５】図５は、実施の形態に用いる表示様式の要部を示す図である。
【図６】図６は、実施の形態に用いる表示様式のさらに他例を示す図である。
【発明を実施するための形態】
【００１２】
以下に説明する監視装置は、太陽光発電設備で発生したデータに基づいて太陽光発電設備の動作状態を監視する。太陽光発電設備で発生したデータは、インターネット、移動体通信網のような電気通信回線を通して監視装置に伝送される。したがって、監視装置を用いることにより、太陽光発電設備の動作状態は、太陽光発電設備から離れた場所で監視されることが可能である。また、監視装置が太陽光発電設備に隣接して配置される場合は、太陽光発電設備で発生したデータは、電気通信回線を通して監視装置に伝送されずに、監視装置に直接に与えられることが可能である。
【００１３】
以下に説明する実施の形態では、監視装置がインターネットのような電気通信回線に接続されたサーバであって、複数の太陽光発電設備で発生したデータを監視装置に集めることが可能である構成を想定する。すなわち、監視装置は、複数の太陽光発電設備について動作状態を監視する。
【００１４】
本実施の形態では、複数の太陽光発電設備の動作状態を監視装置に集約して監視する例を説明するが、複数の太陽光発電設備の動作状態を、太陽光発電設備それぞれに関連付けた端末装置に監視装置から送信する構成を採用してもよい。すなわち、複数の太陽光発電設備について動作状態の監視を、１箇所で集中的に行う構成と、複数箇所で分散して行う構成とのどちらでも採用することが可能である。要するに、太陽光発電設備で発生するデータが電気通信回線を通して監視装置で取得可能な環境であれば、監視装置の場所によらずに、太陽光発電設備の動作状態を監視することが可能である。
【００１５】
監視装置は、主として太陽光発電設備を用いて発電事業を行う事業者向けであって、１台の監視装置が監視する太陽光発電設備のサイト数は、たとえば１００〜５００サイトを想定している。ただし、監視装置の台数を増加させるか、監視装置の処理能力を高めることにより、監視可能な太陽光発電設備のサイト数は、必要に応じて増加させることが可能である。
【００１６】
（実施の形態）
本実施の形態では、図１に示すように、監視装置１０は、太陽光発電設備３０から計測データを受け取る。また、本実施の形態では、計測データが電気通信回線４１を通して太陽光発電設備３０から監視装置１０に送信される構成を採用している。電気通信回線４１は、インターネットを用いたＶＰＮ（Virtual Private Network）、移動体通信網、又は、専用回線などにより構成され得る。
【００１７】
監視装置１０は、計測データを取得するデータ取得部１１と、太陽光発電設備３０の動作状態を視覚化するための表示情報を出力する表示制御部１２とを備える。また、監視装置１０は、データ取得部１１が取得した計測データを基に、太陽光発電設備３０が正常か否かを判断した結果である監視データを生成する判断部１３を備える。
【００１８】
表示制御部１２は、計測データと監視データとを用いて表示情報を生成する。監視装置１０は、表示装置２０とともに監視システムを構築する。したがって、表示制御部１２が出力した表示情報は、表示装置２０に与えられ、太陽光発電設備３０の動作状態が表示装置２０の画面に表示される。すなわち、本実施の形態の太陽光発電設備の監視システムは、監視装置１０と、監視装置１０が出力した表示情報を表示する表示装置２０とを備える。
【００１９】
表示装置２０は、例えば、サーバである監視装置１０に対してクライアントとなる端末装置であり、一般的には、監視装置１０と電気通信回線４２を通して通信するパーソナルコンピュータが用いられる。電気通信回線４２は、インターネットを用いたＶＰＮ、移動体通信網、又は、専用回線などにより構成され得る。
【００２０】
表示装置２０は、タブレット端末、スマートフォンなどから選択することが可能であり、また、シンクライアント（thin client）であってもよい。本実施の形態において、表示装置２０は、基本的にはドットマトリクスによる表示を行う構成を採用するが、セグメントによる表示を行う構成も採用可能である。また、表示装置２０と監視装置１０とは単一のコンピュータで構成されていてもよい。表示制御部１２が出力した表示情報による表示装置２０への表示例については後述する。
【００２１】
なお、監視装置１０が把握している太陽光発電設備３０の動作状態は、太陽光発電設備３０で発電した電力を受電する需要者が使用する表示装置２０に転送することが可能であり、需要者への情報提供のツールとして用いることも可能である。
【００２２】
本実施の形態の太陽光発電設備３０は、図２に示すように、太陽電池モジュール３１と電力変換装置３２とを備える。本実施の形態は、中規模から大規模の太陽光発電設備３０を対象にしており、たとえば発電規模が５０〜１０００ｋＷ程度、望ましくは１０００ｋＷ程度である太陽光発電設備３０を対象にしている。この程度の発電規模であると、複数台の電力変換装置３２が必要になることが多い。本実施の形態では、一例として４台の電力変換装置３２を用いている。なお、本実施の形態の監視装置１０は、発電規模にかかわらず用いることが可能である。
【００２３】
太陽電池モジュール３１は、所定数が直列接続されることによりストリング３３を構成する。また、本実施の形態の太陽光発電設備３０は、複数のストリング３３を並列に接続するために接続装置３４と集電装置３５とを備える。接続装置３４は、いわゆる接続箱であって所定数のストリング３３が接続され、集電装置３５はいわゆる集電箱であって複数の接続装置３４が接続される。１台の接続装置３４に接続されるストリング３３は、たとえば８個であり、１台の集電装置３５に接続される接続装置３４は、たとえば５台である。なお、接続装置３４には、接続される所定数のストリング３３が共用する１台のブレーカが収納され、集電装置３５には、接続される複数の接続装置３４に一対一に対応する複数のブレーカが収納される。
【００２４】
ストリング３３と接続装置３４との間には、複数のストリング３３が接続されるストリングモニタ３６が設けられる。ストリングモニタ３６は、ストリング３３の動作を監視する装置であり、接続された複数のストリング３３それぞれの出力を計測した計測データを出力する。ストリングモニタ３６は、複数のストリング３３のそれぞれについて計測データを出力する。本実施の形態において、ストリングモニタ３６は、接続装置３４の筐体に収納されることを想定しているが、ストリングモニタ３６は接続装置３４の筐体とは別に設けられていてもよい。なお、ストリングモニタ３６は、計測データに加えて監視データを併せて出力してもよい。この監視データは、たとえば、ストリングモニタ３６が監視した断線などに関するデータである。
【００２５】
ストリングモニタ３６には、たとえば４個のストリング３３が接続される。接続装置３４に８個のストリング３３が接続される場合であって、ストリングモニタ３６に４個のストリング３３が接続される場合には、接続装置３４に２台のストリングモニタ３６が接続される。
【００２６】
集電装置３５は、電力変換装置３２に一対一に接続される。本実施の形態の太陽光発電設備３０は、４台の電力変換装置３２を備え、４台の電力変換装置３２は変電設備４０を通して電力系統４３に接続される。変電設備４０は、電力変換装置３２の出力電圧を電力系統４３の電圧に合わせて昇圧するために設けられている。ここでは、電力系統４３として６６００Ｖの高圧配電線路を想定している。そのため、電力変換装置３２の出力電圧を昇圧するための変電設備４０が設けられている。
【００２７】
上述したように、太陽光発電設備３０の電力系は、太陽電池モジュール３１、ストリング３３、ストリングモニタ３６、接続装置３４、集電装置３５、電力変換装置３２、および、変電設備４０の各構成要素により階層的に構成されている。構成要素それぞれの個数は、設計の範囲で適宜に変更することが可能である。たとえば、上述した構成例では、４個のストリング３３がストリングモニタ３６に接続されているが、８個のストリング３３がストリングモニタ３６に接続される構成であってもよい。この場合、ストリングモニタ３６は接続装置３４と一対一に接続される。また、変電設備４０に接続される電力変換装置３２の台数は４台以外であってもよい。
【００２８】
太陽光発電設備３０には、ストリングモニタ３６がストリング３３の出力を計測する第１計測点Ｐ１のほかに、電力変換装置３２の出力が計測される第２計測点Ｐ２が設けられる。また、本実施の形態では、電力変換装置３２と電力系統４３との連系点に設定された第３計測点Ｐ３が設けられている。第３計測点Ｐ３は、電力系統４３と電力変換装置３２との連系点であるから、第３計測点Ｐ３では、変電設備４０の出力が計測される。なお、電力変換装置３２は、電力変換装置３２の入力および出力に関する入出力データと、電力変換装置３２の動作状態に関する状態データとを監視する機能を有していてもよい。また、第３計測点Ｐ３では、変電設備４０の出力の計測のほか、変電設備４０の動作状態に関する状態データを監視する機能を有していてもよい。
【００２９】
第１計測点Ｐ１と第２計測点Ｐ２と第３計測点Ｐ３とのそれぞれでは電圧および電流が計測される。電圧値および電流値は、たとえば１秒〜３０分の範囲で選択される単位時間の平均値が用いられる。要するに、計測データは、単位時間における計測値を基に算出された１秒当たりの平均値である。実用上は、単位時間は３０秒〜１分の範囲で選択してもよい。
【００３０】
第１計測点Ｐ１でストリングモニタ３６が計測した計測データは、後述する通信部３７を通して監視装置１０に送信される。通信部３７は、ストリングモニタ３６と一体である場合と、ストリングモニタ３６とは別に設けられる場合とがある。本実施の形態では、ストリングモニタ３６とは別に通信部３７を設けている。通信部３７は、第２計測点Ｐ２および第３計測点Ｐ３での計測データを、ストリングモニタ３６で得られた計測データと併せて監視装置１０に送信する。
【００３１】
第２計測点Ｐ２にはセンサ３８１が配置され、第３計測点Ｐ３にはセンサ３８２が配置される。センサ３８１および３８２は、どちらも電流および電圧を計測する。第１計測点Ｐ１で計測する電圧は直流であるが、第２計測点Ｐ２および第３計測点Ｐ３で計測する電圧は交流である。ストリングモニタ３６は、第１計測点Ｐ１の電流を、ホールＩＣ、磁気抵抗素子およびシャント抵抗などから選択されるセンサで計測する。また、第２計測点Ｐ２および第３計測点Ｐ３の電流を計測するセンサ３８１および３８２は、電流トランス、ホールＩＣ、磁気抵抗素子およびシャント抵抗などから選択される。
【００３２】
ストリング３３の出力は、天候および温度のような気象条件によって変化する。また、ストリング３３の出力は、太陽高度の影響を受けるから、時間の経過に伴って変化し、季節によって変化する。さらに、太陽光発電設備３０が設置されている場所の緯度によってもストリング３３の出力に相違が生じる。太陽光発電設備３０の周囲に、樹木、建物などが存在すると、１日のうちの特定の時間帯には日陰によってストリング３３の出力が低下する可能性もある。
【００３３】
太陽光発電設備３０の設置場所は既知であるから、日時に応じて太陽高度を計算することが可能であり、出力の実測あるいはシミュレーションを行えば、日陰の影響を求めることが可能である。すなわち、これらの条件の影響は、太陽光発電設備３０の設置場所がわかれば、計算でほぼ求めることが可能である。
【００３４】
一方、気象条件の変化は簡単な計算では求めることができないから、太陽光発電設備３０には気象条件を計測するための気象計３９が配置される。気象計３９は、日射量に応じて晴天、雨天、曇天および降雪などの天候を判別し、気温および湿度を計測するために、日射センサと温度センサと湿度センサとを備える。天候の判別には、日射量を計測する日射計のほかに、太陽電池モジュール３１の上空を撮影するカメラが併用される場合もある。気象計３９は、カメラを備えている場合、カメラが撮影した画像から、太陽電池モジュール３１の上空の雲の位置および速度、並びに、上空の色調などを考慮して天候を決定することが可能である。
【００３５】
ストリングモニタ３６が計測した第１計測点Ｐ１の計測データ、センサ３８１が計測した第２計測点Ｐ２の計測データ、センサ３８２が計測した第３計測点Ｐ３の計測データ、および、気象計３９が計測した計測データは、通信部３７を通して監視装置１０に送信される。監視装置１０は、太陽光発電設備３０から受け取った計測データを用いて、太陽光発電設備３０の動作状態が正常か否かの判断を行い、判断結果である監視データを生成する。
【００３６】
ここに、計測データに基づいて監視データを生成する構成を太陽光発電設備３０が備えている場合、通信部３７は、監視データを計測データと併せて監視装置１０に送信することが可能である。すなわち、第１計測点Ｐ１と第２計測点Ｐ２と第３計測点Ｐ３とでの計測データを監視装置１０に送信し、監視装置１０が計測データから監視データを生成するのではなく、太陽光発電設備３０が計測データから監視データを生成する構成であってもよい。また、監視装置１０と太陽光発電設備３０との両方で監視データを生成する構成を採用することも可能である。たとえば、太陽光発電設備３０において、電力変換装置３２が監視データを生成し、ストリングモニタ３６の計測データについては、監視装置１０が監視データを生成する構成であってもよい。
【００３７】
なお、本実施の形態では、計測点が、ストリング３３に対応する第１計測点Ｐ１、接続装置３４に対応する第２計測点Ｐ２、および、電力変換装置３２に対応する第３計測点Ｐ３の３種類であるが、計測点が３種類であることは必須ではない。計測点は、太陽光発電設備３０の複数の構成要素に対応付けられ、太陽光発電設備３０における異なる階層で電圧および電流が計測されるように設定される。また、計測点を設定した階層に、同じ構成要素が複数あるときには、構成要素ごとに電圧および電流が計測される。
【００３８】
上述した例では、１台の接続装置３４に８個のストリング３３が接続されているから、第１計測点Ｐ１が対応付けられている階層では、同じ構成要素であるストリング３３が１台の接続装置３４に対して８個ある。したがって、第１計測点Ｐ１では、８個のストリング３３の電圧および電流を計測している。
【００３９】
ところで、監視装置１０の判断部１３は、データ取得部１１が太陽光発電設備３０から取得した計測データを用いて監視データを生成する。判断部１３は、計測データを閾値と比較することにより、第１計測点Ｐ１、第２計測点Ｐ２および第３計測点Ｐ３のそれぞれに対応した構成要素が正常か否かを計測する。
【００４０】
上述のように、太陽光発電設備３０の構成要素は階層化されているから、判断部１３は、下位階層の構成要素に対応する計測点の監視データが異常を表すとき、その上位階層の構成要素に対応する計測点の監視データを異常とすることも可能である。たとえば、判断部１３は、第１計測点Ｐ１の監視データが異常を示すときに、第２計測点Ｐ２および第３計測点Ｐ３の監視データも異常とする。また、判断部１３は、第１計測点Ｐ１の計測データが正常であっても、第２計測点Ｐ２の監視データが異常を示すときには、第３計測点Ｐ３の計測データも異常とする。
【００４１】
第１計測点Ｐ１での計測データを用いてストリング３３が正常か否かを判断するには、ストリング３３の出力が変化する条件を考慮して閾値を設定する必要がある。たとえば、太陽光発電設備３０は夜間は発電しないから、夜間にはストリング３３が正常か否かを判断することはできない。また、太陽光発電設備３０は、曇天時、雨天時などには発電するとしても、晴天時に比べるとストリング３３の出力は低下し、また温度によってもストリング３３の出力は変化するから、これらの条件が考慮されていなければ正常か否かは判断できない。
【００４２】
以上のことから、太陽光発電設備３０が正常か否かを判断するための閾値は、日照、温度、時間帯に応じて設定され得る。また、判断部１３は、晴天を条件として設定された閾値を用いて、晴天であることが保証されるときのストリング３３の出力を用いて、太陽光発電設備３０が正常か否かを判断してもよい。
【００４３】
太陽光発電設備３０が同じ仕様の多数のストリング３３を備えているから、太陽光発電設備３０を構成するすべてのストリング３３の出力から中央値あるいは最頻値のような出力の代表値を求め、出力の代表値に基づいて閾値を定めることも可能である。あるいは、太陽光発電設備３０を構成するすべてのストリング３３の出力のうち上位１０％と下位１０％とを除外した平均値を求め、この平均値に基づいて閾値を定めることが可能である。上述の例は一例であり、閾値は他の方法で定めることが可能である。
【００４４】
判断部１３は、ストリング３３それぞれの出力を、上述のようにして定めた閾値と比較することにより、個々のストリング３３が正常か否かを判断する。たとえば、判断部１３は、第１計測点Ｐ１で計測された電圧値および電流値をそれぞれの閾値と比較し、電圧値が電圧用の閾値以上かつ電流値が電流用の閾値以上の場合に正常と判断する。判断部１３は、第１計測点Ｐ１で計測された電圧値および電流値を用いて電力値を求め、電力値が閾値以上である場合に正常と判断する構成でもよい。
【００４５】
本実施の形態では、ストリング３３と接続装置３４とが階層化され、複数個（実施の形態では８個）のストリング３３が上位階層である接続装置３４に接続されている。言い換えると、１台の接続装置３４に接続された複数個のストリング３３は１つのグループを形成している。上述したように、本実施の形態では、下位階層の構成要素に対応する計測点の計測データから得られた監視データが異常を表すときに、上位階層の構成要素に対応する計測点の監視データも異常としている。すなわち、グループ内のいずれかのストリング３３について異常を示す監視データが生じると、グループ全体の監視データも異常とするのである。要するに、監視装置１０は、グループを単位として正常か否かを判断する機能を有している。
【００４６】
グループが正常か否かの判断は、ストリング３３ごとの監視データの論理積として求められる。すなわち、判断部１３は、接続装置３４に接続されているすべてのストリング３３の監視データが正常であると、接続装置３４の出力を正常と判断し、いずれかのストリング３３の監視データが異常であると、接続装置３４の出力を異常と判断する。また、判断部１３は、接続装置３４の出力を異常と判断すると、接続装置３４の上位階層である電力変換装置３２の出力を異常と判断し、電力変換装置３２の上位階層である変電設備４０の出力も異常と判断する。要するに、下位階層の異常は上位階層で継承される。
【００４７】
なお、上述したように、監視装置１０において計測データから監視データを生成するのではなく、太陽光発電設備３０において計測データから監視データを生成する構成を採用することが可能である。この場合、監視装置１０は、判断部１３の機能のうち、計測データから監視データを生成する機能は不要になり、下位階層の異常を上位階層でも継承する機能のみを持つ。また、上述したように、太陽光発電設備３０と監視装置１０との両方が監視データを生成する構成を採用してもよい。
【００４８】
ところで、表示制御部１２は、計測データおよび監視データを、表示装置２０の画面に表示する表示情報を生成する。表示情報は、画面の表示様式を定める情報を含み、この表示様式に計測データおよび監視データを当て嵌めるように構成されている。
【００４９】
監視装置１０を用いる主な目的は、太陽光発電設備３０が正常に動作しているか否かを監視することと、太陽光発電設備３０の発電に関する定量的なデータを監視することとである。また、本実施の形態の表示制御部１２には、基本的に２種類の表示様式が定められており、２種類の表示様式は切替可能になっている。
【００５０】
一方の表示様式は、図３に示すように、監視装置１０が管理している太陽光発電設備３０が配置されている場所を、地図５０の上のシンボル５１で表し、太陽光発電設備３０が正常に動作しているか否かを、シンボル５１の表示状態で表すように構成されている。
【００５１】
図３に示す例では、監視装置１０が管理する太陽光発電設備３０のサイトが複数あり、サイトの場所それぞれにシンボル５１が付与されている。シンボル５１の表示状態は、たとえば、青色（白抜き）が正常、赤色（密度の高い斜線を付した部分）が第２計測点Ｐ２での異常、オレンジ色（密度の低い斜線を付した部分）が第１計測点Ｐ１での異常というように、色で区別される。図３では、第２計測点Ｐ２での異常が「パワコン異常」と表記され、第１計測点Ｐ１での異常が「ＳＭＵ異常」と表記されている。なお、パワコンは電力変換装置３２を意味し、ＳＭＵ（Ｓｔｒｉｎｇ  Ｍｏｎｉｔｏｒ  Ｕｎｉｔ）はストリングモニタ３６を意味する。
【００５２】
地図５０の上でのシンボル５１の位置は、太陽光発電設備３０を監視装置１０の管理対象とする際に登録される情報で決まる。すなわち、監視装置１０に太陽光発電設備３０を登録する際に、発電の規模などの情報に加えて、地理上の位置の情報が登録され、この情報を用いて地図５０の上でのシンボル５１の位置が定められる。シンボル５１の色は、計測データに基づいて判断部１３が判断した結果である監視データに基づいて定められる。
【００５３】
なお、シンボル５１の表示状態は、色を変化させて表すほかに、シンボル５１の形状を変化させて表すことが可能であり、また、シンボル５１の中に他の図形あるいは文字を表示することにより、シンボル５１の表示状態を変化させることが可能である。
【００５４】
ところで、他方の表示様式は、図４のように、特定の太陽光発電設備３０について、発電に関する情報と、動作状態に関する情報と、補助的な情報とを表すように構成されている。図４に示す表示様式の情報は、表示装置２０の画面に、図３のような表示様式で情報が表示されている状態において、特定のサイトに対応するシンボル５１を選択することにより表示される。つまり、選択されたシンボル５１に対応する太陽光発電設備３０について、表示装置２０の画面に、発電に関する情報と、動作状態に関する情報と、補助的な情報とが表示される。ここに、シンボル５１の選択とは、たとえば、シンボル５１にカーソルを合わせてダブルクリックを行うことである。
【００５５】
図４に示す表示様式には、発電に関する情報を表示するために、１時間ごとの発電電力量の推移を示す領域６１、所定の期間内の発電電力量を示す領域６２、発電中の電力を表す領域６３が設けられている。図４に示す例では、動作状態に関する情報を表示する領域は、動作状態が正常か否かを表す領域６４、動作状態の詳細を表す領域６５である。補助的な情報を表す領域は、太陽光発電設備３０の外観の静止画像あるいは動画像を表す領域６６、気象計３９が計測した気象情報を表示する領域６７である。表示制御部１２は、いわゆるライブカメラを用いた実況の動画像を領域６６に表示してもよい。
【００５６】
領域６１には、当日の１日における１時間ごとの発電電力量が棒グラフ６１１で表され、適宜に指定された日の１時間ごとの発電電力量が折れ線グラフ６１２で表されている。折れ線グラフ６１２は、過去の発電電力量の実績に基づいて求められた代表値を表していてもよい。代表値は、過去の同月の平均値、過去の同月の中央値などである。
【００５７】
領域６２には、当日の発電電力量と、当月の発電電力量と、太陽光発電設備３０が設置されてからの発電電力量とが数値で表されている。領域６２には、当年の発電電力量などの他の情報が表示されることもある。
【００５８】
領域６３には、発電規模（定格発電電力）に対する発電中の電力がリング状の円グラフ６３１で表される。図４に示す例では、円グラフ６３１を見ると、太陽光発電設備３０の出力が発電規模に対して４分の３程度であることがわかり、円グラフ６３１の周囲に示された数値によって、５０ｋＷの発電規模に対し、発電中の電力が３８ｋＷであることがわかる。なお、図４の円グラフ６３１において、発電中の電力は、青色などに着色した部分（実線で囲まれた白抜き部分）で表される。
【００５９】
領域６４は、領域６３の円グラフ６３１と同様の形状を有したリング状のエレメント６４１を備える。エレメント６４１は、太陽光発電設備３０に異常があるか否かを表し、たとえば、青色のときに正常、赤色のときに異常を表す。図４に示す例では、太陽光発電設備３０に異常が生じている状態を表している。また、図４に示す例では、領域６３と領域６４とを表示装置２０の画面上でほぼ対称に配置した画面のデザインを採用し、エレメント６４１が円グラフ６３１とほぼ同形状のリング状に形成されている。ただし、正常と異常とが異なる形状のエレメントで表されていてもよい。
【００６０】
領域６５は、太陽光発電設備３０の構成要素ごとの動作状態を表す図形を備える。上述した太陽光発電設備３０は、８個のストリング３３が接続装置３４に接続されているが、図４に示す例は、１６個のストリング３３が１台の接続装置３４に接続された例を示している。さらに、図４に示す例では、接続装置３４はストリングモニタ３６と一対一に対応しており、１つのグループを構成する１６個のストリング３３は、１台のストリングモニタ３６に接続されている。
【００６１】
領域６５に配置された図形は、全体としては円形であって、この図形の中に、太陽光発電設備３０の構成要素に対応付けたエレメント６５１、６５２、６５３および６５４が配置されている。太陽光発電設備３０を表す図形は、構成要素の階層を中心からの距離に対応付けて表している。
【００６２】
エレメント６５１はストリング３３に対応し、エレメント６５２は接続装置３４に対応し、エレメント６５３は電力変換装置３２に対応する。エレメント６５４は変電設備４０に対応する。すなわち、エレメント６５１は第１計測点Ｐ１の計測データに基づく監視データの内容を表し、エレメント６５３は第２計測点Ｐ２の計測データに基づく監視データの内容を表し、エレメント６５４は第３計測点Ｐ３の計測データに基づく監視データの内容を表す。エレメント６５２は、１台のストリングモニタ３６に接続された１６個のストリング３３を総合した監視データの内容を表す。つまり、エレメント６５２は、グループ内のストリング３３がすべて正常であるときに正常を表し、グループ内のストリング３３のいずれかに異常があると異常を表すことも可能である。
【００６３】
この図形の拡大図を図５に示す。太陽光発電設備３０と電力系統４３とが接続される連系点は１点であるから、第３計測点Ｐ３に対応するエレメント６５４は、１個のリング状に形成される。エレメント６５４は、内側の領域に構成要素の名称が表示される。ここでは、エレメント６５４の内側に、第３計測点Ｐ３に対応することを示すために、「系統連系」という名称が表記されている。
【００６４】
エレメント６５１、６５２および６５３は、エレメント６５４の外側に仮想的に設定したリング上に配置され、リングの一部にはエレメント６５１、６５２および６５３と対応する構成要素の名称を表示するネーム部６５５、６５６および６５７が設けられる。第１計測点Ｐ１はストリング３３それぞれの計測データを計測するから、エレメント６５１に対応するネーム部６５５に「ストリング」の名称が表記されている。また、エレメント６５２はグループを構成する１６個のストリング３３が接続されたストリングモニタ３６に対応し、エレメント６５２に対応するネーム部６５６に「ＳＭＵ」の名称が表記されている。第２計測点Ｐ２は電力変換装置３２の計測データを計測するから、エレメント６５３に対応するネーム部６５７には「パワコン」の名称が表記されている。なお、上述したように、パワコンは電力変換装置３２を表し、ＳＭＵはストリングモニタ３６を表す。
【００６５】
第２計測点Ｐ２に対応するエレメント６５３は、エレメント６５４の外周を囲むように仮想的に設定されたリング上に配置される。図２に示した構成例では、第２計測点Ｐ２は４点であるが、図４および図５に示す表示様式の例では、第２計測点Ｐ２が５点である場合を想定している。したがって、仮想的に設定されたリング上に５個のエレメント６５３が設けられ、このリング上にネーム部６５７が設けられる。つまり、仮想的なリングが６個の部分に分割され、１つの部分がネーム部６５７になり、残りの５個の部分のそれぞれがエレメント６５３になる。
【００６６】
同様にして、エレメント６５２は、エレメント６５３を含むリングの外周を囲むように仮想的に設定されたリング上に配置され、エレメント６５１は、エレメント６５２を含むリングの外周を囲むように仮想的に設定されたリング上に配置される。
【００６７】
１台の電力変換装置３２に対して５台の接続装置３４が接続され、ストリングモニタ３６は接続装置３４と一対一に対応しているから、１個のエレメント６５３に対して５個のエレメント６５２が対応する。つまり、エレメント６５２は２５個設けられ、２５個のエレメント６５２とネーム部６５６とが仮想的に設定された１つのリング上に配置される。
【００６８】
さらに、ストリングモニタ３６には１６個のストリング３３が接続されるから、エレメント６５２に対して１６個のエレメント６５１が対応する。図形の中心からエレメント６５２を見込む角度は１０度程度であるから、エレメント６５２に沿うように１６個のエレメント６５１を配置すると、図形の中心からエレメント６５１を見込む角度が１度以下になり、視認性が低下する可能性がある。そのため、本実施の形態では、１６個のエレメント６５１が８個ずつ２列に並べられ、エレメント６５２が配置された仮想的なリングの外周に交差する方向に列が延びるように、エレメント６５１が配置されている。
【００６９】
図示例では、１つのグループを構成する１６個のエレメント６５１を配置するために、平行な２本の直線が仮想的に設定され、直線ごとに８個のエレメント６５１が並べられている。さらに、１つのグループを構成するエレメント６５１を並べた２本の直線の間に仮想的に設定した中心線が、エレメント６５４の中心を通るように配置される。つまり、領域６５に配置した図形において、エレメント６５１は、８個ずつがほぼ放射方向の列をなすように配置されている。
【００７０】
太陽光発電設備３０の動作状態が正常か否かは、エレメント６５１、６５２、６５３および６５４の表示状態で表される。たとえば、表示制御部１２は、太陽光発電設備３０の構成要素の動作状態が正常か否かに応じて、構成要素に対応したエレメント６５１、６５２、６５３および６５４の色を変化させる。図５に示す例では、正常を青色（白抜き）で表し、異常を赤色（斜線を付与）で表している。動作状態が正常か否かは、異なる色で表すほか、連続表示と点滅表示とで表すことも可能である。なお、エレメント６５４は、連系点において電力系統４３に停電のような異常が生じているか否かを表している。
【００７１】
エレメント６５１、６５２、６５３および６５４が上述のように配置されることにより、領域６５に配置された図形は、全体として、太陽あるいはヒマワリを想起させる独特な形状に形成される。また、太陽光発電設備３０の構成要素に対応するエレメント６５１、６５２、６５３および６５４が、複数の仮想的なリング上に配置され、かつ仮想的なリングが同心円状に配置された図形を用いているから、この図形の中に構成要素の階層構造が表現される。すなわち、上位階層の構成要素について動作状態の異常が示されている場合に、下位階層のどの構成要素に異常が生じているかも示される。また、多数の構成要素が全体として円形の図形で表現されているから、表示装置２０の画面において領域６５が占める面積が比較的小さくなる上に、正方形状の領域６５に情報が集約され、画面内に他の情報が混在する場合でも情報の認識を容易にする。
【００７２】
なお、領域６５に配置する図形は、電力変換装置３２の台数に応じて、全体として六角形状、八角形状などの多角形状を採用してもよい。また、領域６５に配置される図形は、図５に示した図形が展開され、ストリング３３に対応するエレメント６５１の列が平行にならんだ四角形状の図形であってもよい。また、上述した構成例では、表示制御部１２が表示装置２０に対して表示様式を提供しているが、表示様式が可変ではないセグメント式などの表示装置２０を用いて、上述した表示を行ってもよい。
【００７３】
さらに、太陽光発電設備３０の出力は日射量の影響を受けるから、監視装置１０は、インターネットのような電気通信回線を通して気象情報を取得し、図６のように、図３と同様の地図５０の上に、気象情報として取得した雲５２の位置の目安を表示してもよい。雲５２の位置が示されていると、太陽光発電設備３０の出力が低下したときに、故障による出力低下か天候による出力低下かを判断する目安が得られる。
【００７４】
図６では雲５２の位置の目安を表示しているが、太陽光発電設備３０に設けられている気象計３９からは天候、気温および湿度に関する情報が得られるから、これらの情報も地図上に表示すれば、太陽光発電設備３０の出力が変動する要因を推定する際に役立つ。要するに、太陽光発電設備３０のサイトごとに出力低下の原因が、故障によるか天候などの影響によるかが直観的に確認できるように、太陽光発電設備３０の発電電力量に影響する気象情報を地図５０の上に重ねて配置することにしてもよい。
【００７５】
なお、上述した構成例では集電装置３５を用いているが、電力変換装置３２に接続装置３４を接続する構成を採用してもよい。電力変換装置３２に複数台の接続装置３４を接続する場合は、電力変換装置３２が集電装置３５に相当する構成を備えていればよい。
【００７６】
上述したように、本実施の形態における太陽光発電設備の監視装置１０は、データ取得部１１と表示制御部１２とを備える。データ取得部１１は、太陽光発電設備３０の動作に関するデータを取得する。表示制御部１２は、太陽光発電設備３０の動作状態を所定の表示様式で表す表示情報を前記データから生成し、前記表示情報を出力する。前記データは、太陽光発電設備３０を構成する複数の構成要素それぞれに対して設定されている複数の計測点（第１計測点Ｐ１、第２計測点Ｐ２および第３計測点Ｐ３）での計測データを含む。前記表示様式は、太陽光発電設備３０における構成要素に一対一に対応するエレメント（６５１、６５２、６５３および６５４）を構成要素の位置に関連付けて配置した図形を含んでいる。表示制御部１２は、計測データを基に構成要素それぞれの動作状態が正常か否かを判断した結果である監視データを、エレメント（６５１、６５２、６５３および６５４）の表示状態に反映させる。
【００７７】
この構成によれば、構成要素それぞれの動作状態が正常か否かが、構成要素に一対一に対応するエレメント（６５１、６５２、６５３および６５４）の表示状態で表されるから、異常が生じている構成要素の種類を直観的に認識させることが可能になる。しかも、エレメント（６５１、６５２、６５３および６５４）は構成要素の位置に対応付けて配置されているから、太陽光発電設備３０に異常が生じた場合に、エレメント（６５１、６５２、６５３および６５４）の位置により異常箇所が特定される。すなわち、太陽光発電設備３０に異常が生じた場合に、異常が生じている箇所の特定が容易になる表示を可能にするから、ユーザは異常への迅速な対応が可能になる。
【００７８】
本実施の形態において、太陽光発電設備３０は、構成要素として、複数のストリング３３と複数の接続装置３４と電力変換装置３２とを備える。ストリング３３は、太陽電池モジュール３１で構成される。接続装置３４は、複数のストリング３３の出力を所定数ずつのグループにまとめる。電力変換装置３２は、接続装置３４からの出力を交流に変換する。計測点は、ストリング３３の出力を計測する第１計測点Ｐ１と、電力変換装置３２の出力を計測する第２計測点Ｐ２とを含む。
【００７９】
この構成によれば、太陽光発電設備３０の構成要素のうちの、ストリング３３と、電力変換装置３２とに関して動作状態が正常か否かを判断することが可能になる。すなわち、太陽光発電設備３０に異常が生じた場合に、ストリング３３に原因があるか、電力変換装置３２に原因があるかが容易に特定される。
【００８０】
本実施の形態において、太陽光発電設備３０は電力系統４３と接続される。計測点は、電力変換装置３２と電力系統４３との連系点に設定された第３計測点Ｐ３をさらに備える。
【００８１】
この構成によれば、太陽光発電設備３０と電力系統４３との連系点に関して正常か否かの判断が可能であるから、たとえば、電力系統４３の停電状態などが検出可能になる。
【００８２】
上記図形は、エレメントとして、ストリング３３に一対一に対応する複数の第１のエレメント６５１と、電力変換装置３２に対応する第２のエレメント６５３と、連系点に対応する第３のエレメント６５４とを備えてもよい。グループを構成するストリング３３に対応する第１のエレメント６５１は列を形成する。ストリング３３が接続された電力変換装置３２に対応する第２のエレメント６５３は第１のエレメント６５１の列の一端側に配置される。第３のエレメント６５４は第２のエレメント６５３を挟んで第１のエレメント６５１の反対側に配置されている。
【００８３】
この構成によれば、太陽光発電設備３０の構成要素における階層的構造を、構成要素に対応したエレメントの配置に反映させているから、構成要素に異常が生じた場合に、異常が生じている構成要素の場所を特定させることが容易になる。
【００８４】
上記図形は、第１のエレメント６５１と第２のエレメント６５３と第３のエレメント６５４とが、それぞれ仮想的に設定されたリング上に配置されてもよい。第３のエレメント６５４が配置されたリングを第２のエレメント６５３が配置されたリングが囲み、かつ第２のエレメント６５３が配置されたリングを第１のエレメント６５１が配置されたリングが囲む。
【００８５】
この構成によれば、太陽光発電設備３０の構成要素が全体としてリング状である図形で表され、かつ図形の中心からの距離に応じて異なる種類の構成要素が対応付けられる。したがって、太陽光発電設備３０の構成要素の階層的構造がリング状の図形で表されることにより、異常が生じている構成要素の位置をユーザに認識させやすくなる。しかも、図形は、全体としてリング状であるから、太陽あるいはヒマワリを想起させて親しみやすさを演出することが可能であり、多数の構成要素をリング状の図形に集約させているから、表示装置２０に表示させる場合に画面上での配置の自由度が高くなる。また、この図形により、多数の構成要素に対応するエレメント（６５１、６５２、６５３および６５４）をコンパクトに配置することが可能になる。
【００８６】
上記表示様式は、太陽光発電設備３０を表すシンボル５１を、太陽光発電設備３０が配置されている場所に対応させて地図５０上に配置するように定められていてもよい。この場合、表示制御部１２は、計測データを基に太陽光発電設備３０の動作状態が正常か否かを判断した結果をシンボル５１の表示状態に反映させる。
【００８７】
この構成によれば、地図５０の上で太陽光発電設備３０が配置されている地理的な場所を地図５０の上で確認することができるから、複数の太陽光発電設備３０の動作状態を監視する場合に、異常が生じている太陽光発電設備３０を即座に知ることが可能になる。すなわち、異常が生じた太陽光発電設備３０は、シンボル５１の表示状態が正常な太陽光発電設備３０とは異なるから、地図５０に表示状態が異なるシンボル５１があれば、その太陽光発電設備３０に異常が生じていると認識させることが可能である。また、表示装置２０の１画面に表示可能な地図５０の範囲であれば、複数の太陽光発電設備３０の動作状態を同時に表示できる。つまり、ユーザが太陽光発電設備３０の動作状態を常時監視する場合に、画面の切替、画面のスクロールなどを行うことなく、複数の太陽光発電設備３０について監視することが可能になる。そして、異常が生じている太陽光発電設備３０の位置が地図５０の上に示されるから、現場での確認作業あるいは修理作業のようなサービスが必要であれば、サービス拠点にすみやかに指示することが可能になる。
【００８８】
前記表示様式は、太陽光発電設備３０の発電電力量に影響する気象情報を地図５０上に重ねて配置するように定められていてもよい。
【００８９】
この構成によれば、気象情報が地図５０の上に重ねられているから、発電電力量の低下の原因が、太陽光発電設備３０の動作状態の異常であるか、天候などの気象条件であるかを識別させることができる。
【００９０】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００９１】
本発明の一態様に係る太陽光発電設備の監視方法は、太陽光発電設備を構成する複数の構成要素それぞれに対して設定されている複数の計測点での計測データを含む前記太陽光発電設備の動作に関するデータを取得するステップと、前記太陽光発電設備の動作状態を、前記太陽光発電設備における前記構成要素に一対一に対応するエレメントを前記構成要素の位置に関連付けて配置した図形を含む所定の表示様式で表す表示情報を前記データから生成するステップと、前記表示情報を出力するステップと、前記計測データを基に前記構成要素それぞれの動作状態が正常か否かを判断した結果である監視データを、前記エレメントの表示状態に反映させるステップとを有する。
【００９２】
また、本発明の一態様に係るプログラムは、太陽光発電設備を構成する複数の構成要素それぞれに対して設定されている複数の計測点での計測データを含む前記太陽光発電設備の動作に関するデータを取得するステップと、前記太陽光発電設備の動作状態を、前記太陽光発電設備における前記構成要素に一対一に対応するエレメントを前記構成要素の位置に関連付けて配置した図形を含む所定の表示様式で表す表示情報を前記データから生成するステップと、前記表示情報を出力するステップと、前記計測データを基に前記構成要素それぞれの動作状態が正常か否かを判断した結果である監視データを、前記エレメントの表示状態に反映させるステップとをコンピュータに実行させる。
【００９３】
なお、上述した実施の形態は本発明の一例である。このため、本発明は、上述の実施の形態に限定されることはなく、この実施の形態以外であっても、本発明に係る技術的思想を逸脱しない範囲であれば、設計等に応じて種々の変更が可能であることはもちろんのことである。
【００９４】
また、上述した実施の形態で示した構成要素及び機能を任意に組み合わせることで実現される形態も本発明の範囲に含まれる。
【符号の説明】
【００９５】
１０  監視装置
１１  データ取得部
１２  表示制御部
２０  表示装置
３０  太陽光発電設備
３１  太陽電池モジュール
３２  電力変換装置
３３  ストリング
３４  接続装置
４３  電力系統
５０  地図
５１  シンボル
６５１  エレメント（第１のエレメント）
６５２  エレメント
６５３  エレメント（第２のエレメント）
６５４  エレメント（第３のエレメント）
Ｐ１  第１計測点
Ｐ２  第２計測点
Ｐ３  第３計測点
【図１】
2016113823.tif 000003
【図２】
2016113823.tif 000004
【図３】
2016113823.tif 000005
【図４】
2016113823.tif 000006
【図５】
2016113823.tif 000007
【図６】
2016113823.tif 000008
【国際調査報告】
2016113823.tif 000009
2016113823.tif 000010
2016113823.tif 000011
2016113823.tif 000012